(57)【要約】１つの電力演算部１４は、対応するセクタ内において移動端末装置と無線通信を行う際に、１つのタスクにアクセスする移動端末装置への送信電力を制御指令に応じて制御し、電力制御部１５は、複数の電力演算部１４の各々に対して制御指令を与えて、複数のセクタにおける移動端末装置への送信電力を一括制御することにより、各セクタごとに移動端末装置と無線通信を行う際に、複数のセクタからなるセルにおける干渉の低減及びトラフィックの偏りを解消する。
2002061975.tif 000002
【特許請求の範囲】
【請求項１】
１つの無線エリア内において移動端末装置と無線通信を行う際に当該１つの無線エリアにアクセスする移動端末装置への送信電力を制御指令に応じて制御する電力制御手段と、
複数の電力制御手段の各々に対して前記制御指令を与えて複数の無線エリアにおける移動端末装置への送信電力を一括制御する統括制御手段を有する通信システム。
【請求項２】
電力制御手段は複数のセクタで構成されたセルの１つのセクタ内において移動端末装置と無線通信を行う際に当該１つのセクタにアクセスする移動端末装置への送信電力を制御指令に応じて演算する電力演算手段であり、統括制御手段は複数の電力演算手段を収容し当該複数の電力制御手段の各々に対して前記制御指令を与えて前記セルにおける移動端末装置への送信電力を一括制御する基地局であることを特徴とする請求の範囲第１項記載の通信システム。
【請求項３】
電力制御手段は１つのセル内において移動端末装置と無線通信を行う際に当該１つのセルにアクセスする移動端末装置への送信電力を制御指令に応じて制御する基地局であり、統括制御手段は複数の基地局を収容し当該複数の基地局の各々に対して前記制御指令を与えて複数のセルにおける移動端末装置への送信電力を一括制御する無線ネットワーク制御装置であることを特徴とする請求の範囲第１項記載の通信システム。
【請求項４】
電力制御手段は、統括制御手段から与えられた共通パイロットチャネル送信電力に対し、送受信データの所定量であるスロット又は複数のスロットからなるフレームの周期ごとに移動端末装置への送信電力を制御することを特徴とする請求の範囲第１項記載の通信システム。
【請求項５】
統括制御手段は、各電力制御手段が受信した移動端末装置の数の通知を受け、当該通知に基づいて各電力制御手段に与える制御指令を決定することを特徴とする請求の範囲第１項記載の通信システム。
【請求項６】
統括制御手段は、一括統括する複数の無線エリアにおいて隣接する無線エリア間における送信電力の空白及び隣接する無線エリア同士の送信電力の重複が発生しないように制御指令を各電力制御手段に与えることを特徴とする請求の範囲第１項記載の通信システム。
【請求項７】
統括制御手段は、各電力制御手段における共通パイロットチャネル送信電力の情報を把握して、前記各電力制御手段における基準の信号対干渉電力比及び基準のランダムアクセスチャネル数を制御することを特徴とする請求の範囲第６項記載の通信システム。
【請求項８】
統括制御手段は、各電力制御手段における共通パイロットチャネル送信電力の最大値及び最小値の範囲を規定し、収容する任意の電力制御手段が自律的に対応する無線エリアにおける電力制御を行った場合には、当該無線エリアに隣接する無線エリアに対応する電力制御手段に対して当該規定した範囲内で共通パイロットチャネル送信電力を制御することを特徴とする請求の範囲第７項記載の通信システム。
【請求項９】
１つの無線エリア内において移動端末装置と無線通信を行う電力制御手段に対して制御指令を与えて当該１つの無線エリアにアクセスする移動端末装置への送信電力を制御し、複数の無線エリアにおける移動端末装置への送信電力を一括制御する通信方法。
【請求項１０】
電力制御手段は、上位から与えられた共通パイロットチャネル送信電力に対し、送受信データの所定量であるスロット又は複数のスロットからなるフレームの周期ごとに移動端末装置への送信電力を制御することを特徴とする請求の範囲第９項記載の通信方法。
【請求項１１】
複数の電力制御手段の各々が受信した移動端末装置の数の通知を受け、当該通知に基づいて各電力制御手段に与える制御指令を決定することを特徴とする請求の範囲第９項記載の通信方法。
【請求項１２】
一括統括する複数の無線エリアにおいて隣接する無線エリア間における送信電力の空白及び隣接する無線エリア同士の送信電力の重複が発生しないように制御指令を複数の電力制御手段の各々に与えることを特徴とする請求の範囲第９項記載の通信方法。
【請求項１３】
複数の電力制御手段の各々における共通パイロットチャネル送信電力の情報を把握して、各電力制御手段における基準の信号対干渉電力比及び基準のランダムアクセスチャネル数を制御することを特徴とする請求の範囲第１２項記載の通信方法。
【請求項１４】
複数の電力制御手段の各々における共通パイロットチャネル送信電力の最大値及び最小値の範囲を規定し、任意の電力制御手段が自律的に対応する無線エリアにおける電力制御を行った場合には、当該無線エリアに隣接する無線エリアに対応する電力制御手段に対して当該規定した範囲内で共通パイロットチャネル送信電力を制御することを特徴とする請求の範囲第１３項記載の通信方法。
【発明の詳細な説明】
技術分野
この発明は、通信システム及び通信方法に関し、特に送信電力の制御に関するものである。
背景技術
第１図はＣＤＭＡ（符号分割多元接続）の通信システムにおける一部の構成を示し、１はＰＳＴＮ（公衆交換電話網）、２はＰＳＴＮ１に接続されているＲＮＣ（無線ネットワーク制御装置）、３はＲＮＣ２に接続されている複数のＢＴＳ（基地局）、４はＢＴＳ３との間で無線通信を行う移動端末装置、５は各ＢＴＳ３と通信可能な範囲であるセルである。
次に動作について説明する。
任意のセル５におけるダウンリンクの送信電力によって無線通信が可能な任意の移動端末装置４のユーザが電話番号を入力して発呼（アクセス）すると、そのセル５に対応するＢＴＳ３がその発呼に応答し、その移動端末装置４からの無線信号を受信する。そして、受信した無線信号を復調した復調信号からその移動端末装置４を識別するとともに、復調信号に含まれている電話番号から発呼先の被呼端末装置を識別する。次に、これらの接続要求情報をＲＮＣ２に送信する。
ＲＮＣ２は、この接続要求情報に応じて発呼した移動端末装置４と被呼端末装置との接続制御を実行する。すなわち、その被呼端末装置が他のネットワークである場合には、その情報をＰＳＴＮ１に送信する。あるいは、その被呼端末が同じ無線ネットワーク内の移動端末装置４である場合には、収容する全てのＢＴＳ４に対して接続要求情報を送信する。各ＢＴＳ４は、対応するセル５内に存在する移動端末装置４に発呼して電話番号を発呼する。
この電話番号に対応する移動端末装置４が、任意のＢＴＳ３の送信電力で無線通信が可能なセル内に存在する場合には、その発呼に応答して着信をユーザに通報する。そしてユーザがその着信に応答すると、発呼端末装置である移動端末装置４と被呼端末装置である移動端末装置４との間で通信路が確立して音声データの送受信が行われる。通信中のいずれか一方又は双方が現在のセルの領域から移動して他のセルの領域に入った場合には、現在のセルに対応するＢＴＳ３はそのことを感知して、移動端末装置４の移動をＲＮＣ２に通知する。ＲＮＣ２はこの通知に応じていわゆるハンドオフ処理を実行する。
また、ＲＮＣ２は、収容する各ＢＴＳ３にアクセス可能な移動端末装置４の最大基準値及び最小基準値を規定し、共通パイロット送信電力を送信して、移動端末装置への送信電力を制御する。この結果、第２図に示すように、ＢＴＳ４は対応するセル５の半径（送信電力の電界強度）を調整する。例えば、移動端末装置４の数（これを「トラフィック数」という）が規定の範囲である場合にセルの半径がＲ１であるとすると、移動端末装置４の数が最小基準値より減少するとセル５の半径をＲ２にして通信可能な範囲を広げる。逆に移動端末装置４の数が最大基準値を超えた場合には、セルの半径をＲ３にして通信可能な範囲を狭くする。
第３図はセル半径調整の動作を示すフローチャートであり、図において、トラフィック数が最大基準値を超えたか否かを判別し（ステップＳＴ１）、超えた場合にはセル半径を縮小する（ステップＳＴ２）。また、トラフィック数が最小基準値より減少したか否かを判別し（ステップＳＴ３）、減少した場合にはセル半径を拡大する（ステップＳＴ４）。
しかしながら、上記従来の通信システム及び通信方法においては、あるセルに対して単独に半径を縮小したり拡大しているので、複数のセルにおける干渉やトラフィックの偏りが発生するという課題があった。また、移動端末装置４は必ずしもＢＴＳ３を中心として同心円状に存在している訳ではないので、従来のようにセルの半径を調整する電力制御によっては、トラフィック制御が不充分であるという課題があった。
この発明は上記のような課題を解決するためになされたもので、複数のセルにおける干渉の低減及びトラフィックの偏りを解消することを目的とする。また、セル内においてあるいは複数のセル内において、充分なトラフィック制御ができるようにすることを目的とする。
発明の開示
この発明に係る通信システムは、１つの無線エリア内において移動端末装置と無線通信を行う際に１つの無線エリアにアクセスする移動端末装置への送信電力を制御指令に応じて制御する電力制御手段と、複数の電力制御手段の各々に対して制御指令を与えて複数の無線エリアにおける移動端末装置への送信電力を一括制御する統括制御手段とを有するようにしたものである。
このことによって、各無線エリアごとに移動端末装置と無線通信を行う際に、複数の無線エリアにおける干渉の低減及びトラフィックの偏りを解消できるという効果がある。また、無線エリア内において及び複数の無線エリア内において充分なトラフィック制御ができるという効果がある。
この発明に係る無線システムにおいて、電力制御手段は複数のセクタで構成されたセルの１つのセクタ内において移動端末装置と無線通信を行う際に１つのセクタにアクセスする移動端末装置への送信電力を制御指令に応じて演算する電力演算手段であり、統括制御手段は複数の電力演算手段を収容し複数の電力制御手段の各々に対して制御指令を与えてセルにおける移動端末装置への送信電力を一括制御する基地局であるようにしたものである。
このことによって、各セクタごとに移動端末装置と無線通信を行う際に、複数のセクタからなる１つのセルにおける干渉の低減及びトラフィックの偏りを解消できるという効果がある。また、各セクタ内において充分なトラフィック制御ができるという効果がある。
この発明に係る通信システムにおいて、電力制御手段は１つのセル内において移動端末装置と無線通信を行う際に１つのセルにアクセスする移動端末装置への送信電力を制御指令に応じて制御する基地局であり、統括制御手段は複数の基地局を収容し複数の基地局の各々に対して制御指令を与えて複数のセルにおける移動端末装置への送信電力を一括制御する無線ネットワーク制御装置であるようにしたものである。また、各セル内において充分なトラフィック制御ができるという効果がある。
このことによって、各セルごとに移動端末装置と無線通信を行う際に、複数のセルにおける干渉の低減及びトラフィックの偏りを解消できるという効果がある。
この発明に係る通信システムにおいて、電力制御手段は、統括制御手段から与えられた共通パイロットチャネル送信電力に対し、送受信データの所定量であるスロット又は複数のスロットからなるフレームの周期ごとに移動端末装置への送信電力を制御するようにしたものである。
このことによって、複数の無線エリアにおける送信電力を高速に制御できるという効果がある。
この発明に係る通信システムにおいて、統括制御手段は、各電力制御手段が受信した移動端末装置の数の通知を受け、通知に基づいて各電力制御手段に与える制御指令を決定するようにしたものである。
このことによって、広範囲でのトラフィック負荷分散を行うことができるという効果がある。
この発明に係る通信システムにおいて、統括制御手段は、一括統括する複数の無線エリアにおいて隣接する無線エリア間における送信電力の空白及び隣接する無線エリア同士の送信電力の重複が発生しないように制御指令を各電力制御手段に与えるようにしたものである。
このことによって、隣接する無線エリア間での干渉の低減及びトラフィックの偏りを解消できるという効果がある。
この発明に係る通信システムにおいて、統括制御手段は、各電力制御手段における共通パイロットチャネル送信電力の情報を把握して、各電力制御手段における基準の信号対干渉電力比及び基準のランダムアクセスチャネル数を制御するようにしたものである。
このことによって、隣接する無線エリア同士で最適な電力制御ができるという効果がある。
この発明に係る通信システムにおいて、統括制御手段は、各電力制御手段における共通パイロットチャネル送信電力の最大値及び最小値の範囲を規定し、収容する任意の電力制御手段が自律的に対応する無線エリアにおける電力制御を行った場合には、無線エリアに隣接する無線エリアに対応する電力制御手段に対して規定した範囲内で共通パイロットチャネル送信電力を制御するようにしたものである。
このことによって、個々の無線エリアにおける送信電力を高速に制御するとともに複数の無線エリア間での干渉の低減及びトラフィックの偏りを解消できるという効果がある。
この発明に係る通信方法は、１つの無線エリア内において移動端末装置と無線通信を行う電力制御手段に対して制御指令を与えて当該１つの無線エリアにアクセスする移動端末装置への送信電力を制御し、複数の無線エリアにおける移動端末装置への送信電力を一括制御するものである。
このことによって、各無線エリアごとに移動端末装置と無線通信を行う際に、複数の無線エリアにおける干渉の低減及びトラフィックの偏りを解消できるという効果がある。また、無線エリア内において及び複数の無線エリア内において充分なトラフィック制御ができるという効果がある。
この発明に係る通信方法において、電力制御手段は、上位から与えられた共通パイロットチャネル送信電力に対し、送受信データの所定量であるスロット又は複数のスロットからなるフレームの周期ごとに移動端末装置への送信電力を制御するようにしたものである。
このことによって、複数の無線エリアにおける送信電力を高速に制御できるという効果がある。
この発明に係る通信方法において、複数の電力制御手段の各々が受信した移動端末装置の数の通知を受け、通知に基づいて各電力制御手段に与える制御指令を決定するようにしたものである。
このことによって、広範囲でのトラフィック負荷分散を行うことができるという効果がある。
この発明に係る通信方法において、一括統括する複数の無線エリアにおいて隣接する無線エリア間における送信電力の空白及び隣接する無線エリア同士の送信電力の重複が発生しないように制御指令を複数の電力制御手段の各々に与えるようにしたものである。
このことによって、隣接する無線エリア間での干渉の低減及びトラフィックの偏りを解消できるという効果がある。
この発明に係る通信方法は、複数の電力制御手段の各々における共通パイロットチャネル送信電力の情報を把握して、各電力制御手段における基準の信号対干渉電力比及び基準のランダムアクセスチャネル数を制御するようにしたものである。
このことによって、隣接する無線エリア同士で最適な電力制御ができるという効果がある。
この発明に係る通信方法において、複数の電力制御手段の各々における共通パイロットチャネル送信電力の最大値及び最小値の範囲を規定し、任意の電力制御手段が自律的に対応する無線エリアにおける電力制御を行った場合には、当該無線エリアに隣接する無線エリアに対応する電力制御手段に対して当該規定した範囲内で共通パイロットチャネル送信電力を制御するようにしたものである。
このことによって、個々の無線エリアにおける送信電力を高速に制御するとともに複数の無線エリア間での干渉の低減及びトラフィックの偏りを解消できるという効果がある。
発明を実施するための最良の形態
以下、この発明をより詳細に説明するために、この発明を実施するための最良の形態について、添付の図面に従って説明する。
実施の形態１．
第４図はこの発明の実施の形態１における通信システムのセル構成を示す図であり、図において、１１はＲＮＣ（無線ネットワーク制御装置）に接続されたＢＴＳ（基地局）、１２はＢＴＳ１１によって管理される６個のセクタ（複数の無線エリア）で構成されたセルである。
第５図はこの発明の実施の形態１における通信システムのＢＴＳ１１の構成を示すブロック図であり、図において、１３はセル１２の各セクタ（セクタ１〜セクタ６）に対応する６個の送受信機、１４は各送受信機１３に対応する６個の電力演算部（電力制御手段）、１５は各電力演算部１４に接続された電力制御部（統括制御手段）、ａ〜ｄはこのＢＴＳ１１の内部及びＢＴＳ１１とＲＮＣ（図示せず）との間で授受される信号である。第６図は第５図における電力演算部１４の構成を示すブロック図であり、１６は比較器、１７は補正量演算器、１８は加算器、ｅ，ｆはこの電力演算部１４内で授受される信号である。
次に動作について説明する。
図示しないＲＮＣからは、共通パイロットチャネル送信電力（以下、「ＣＰＩＣＨ送信電力」という）の電力指示信号ａ並びに基準信号対干渉電力比（以下、「基準ＳＩＲ」という）及び基準ランダムアクセスチャネル数（以下、「基準ＲＡＣＨ数」という）からなる基準指示信号ｂがＢＴＳ１１の電力制御部１５に送信される。すなわち、上位であるＲＮＣによって設定された制御指令が下位であるＢＴＳ１１に送信される。電力制御部１５は、受信した電力指示信号ａ及び基準指示信号ｂを６個の電力演算部１４の各々に与える。各電力演算部１４はそれぞれ対応する送受信機１３に対して電力指示信号ａ（後述する補正後は電力指示信号ｄ）を与えるとともに、基準指示信号ｂを第６図に示す比較器１６のメモリ（図示せず）に記憶する。
各送受信機１３は、電力指示信号ａに基づいて移動端末装置への送信電力すなわちダウンリンクの送信電力を制御する。例えば、対応するセクタ内に存在する移動端末装置の数が多い都市部ではセクタの範囲すなわち送信電力は小さく、移動端末装置の数が少ない郊外や田舎ではセクタの範囲（送信電力）は大きい。したがって、６個のセクタで構成されるセル１２の範囲が電力指示信号ａによって制御される。
このような電力制御によって、アクセス可能な移動端末装置の数を地域的かつ統計的に制限することで、いわゆるトラフィック数を制御する。電力演算部１４の比較器１６に記憶された基準指示信号ｂを構成する基準ＳＩＲ及び基準ＲＡＣＨ数は、このトラフィック制御に関連する。これについてはさらに後述する。
各送受信機１３は、対応するセクタ内に存在する移動端末装置からアクセスを受信すると、受信信号対干渉比（以下、「受信ＳＩＲ」という）を測定する。この受信ＳＩＲの測定によって対応するセクタ内に存在する移動端末装置の数を測定することができる。送受信機１３は、測定した受信ＳＩＲを対応する電力演算部１４に供給する。
電力演算部１４は、送受信機１３から供給された受信ＳＩＲを比較器１６のメモリに記憶する。比較器１６は、記憶した受信ＳＩＲと基準ＳＩＲとを比較する。比較器１６は受信ＳＩＲが基準ＳＩＲよりも大きいか小さいかを判別する。そして、受信ＳＩＲが基準ＳＩＲよりも小さい場合にはプラスの比較信号ｅを、受信ＳＩＲが基準ＳＩＲよりも大きい場合にはマイナスの比較信号ｅを補正量演算器１７に入力する。
補正量演算器１７は、入力された比較信号ｅに基づいて補正量を演算して、演算した補正量を示す補正信号ｆを加算器１８に入力する。加算器１８は、電力制御部１５を介してＲＮＣから供給されているＣＰＩＣＨ送信電力に補正信号ｆの補正量を加算して、補正後のＣＰＩＣＨ送信電力の電力指示信号ｄを送受信機１３及び電力制御部１５に供給する。
この結果、受信ＳＩＲが基準ＳＩＲよりも小さい場合、すなわちセクタ内の移動端末装置が基準より少ない場合には、電力演算部１４は、ダウンリンクの送信電力を上昇する制御を行ってセクタの範囲を広げる。逆に、受信ＳＩＲが基準ＳＩＲよりも大きい場合、すなわちセクタ内の移動端末装置が基準より多い場合には、電力演算部１４は、ダウンリンクの送信電力を低下する制御を行ってセクタの範囲を縮小する。
この場合において、電力演算部１４は、電力制御部１５から与えられたＣＰＩＣＨ送信電力に対し、送受信データの所定量であるスロット又は複数のスロットからなるフレームの周期ごとに移動端末装置への送信電力を制御する。また、個々の電力演算部１４によるダウンリンクの電力制御は自律的に実行される。
電力制御部１５は、いずれかの電力演算部１４から補正後の電力指示信号ｄを供給された場合には、隣接するセクタにおける電力制御を行う。第７図はこの隣接セクタ制御処理の動作を示すフローチャートである。まず、セクタを指定するポインタｎの値を１にセットしてセクタ１を指定する（ステップＳＴ１１）。そして、ポインタｎをインクリメントしながら、ステップＳＴ１２〜ステップＳＴ１５のループを繰り返す。
すなわち、ポインタｎで指定したセクタ（ｎ）のＣＰＩＣＨ送信電力が変化したか否かを判別し（ステップＳＴ１２）、変化がない場合にはポインタｎの値をインクリメントする（ステップＳＴ１３）。そして、ｎの値が６を超えたか否かを判別する（ステップＳＴ１４）。ｎの値が６以下である場合には、ステップＳＴ１２に移行してセクタ（ｎ）のＣＰＩＣＨ送信電力は変化したか否かを判別する。ＣＰＩＣＨ送信電力が変化した場合には、隣接したセクタのＣＰＩＣＨ送信電力をＲＮＣによって指定されている最大／最小のＣＰＩＣＨ送信電力の範囲内で制御する（ステップＳＴ１５）。
以上で明らかなように、この実施の形態１によれば、１つのセクタ内において移動端末装置と無線通信を行う際に１つのタスクにアクセスする移動端末装置への送信電力を制御指令に応じて制御する電力演算部１４と、複数の電力演算部１４の各々に対して制御指令を与えて複数のセクタであるセル１２における移動端末装置への送信電力を一括制御する電力制御部１５とを有するようにしたので、各セクタごとに移動端末装置と無線通信を行う際に、複数のセクタからなるセルにおける干渉の低減及びトラフィックの偏りを解消できるという効果がある。また、セクタ内において及びセル内において充分なトラフィック制御ができるという効果がある。
この実施の形態１において、電力演算部１４は、電力制御部１５から与えられたＣＰＩＣＨ送信電力に対し、送受信データの所定量であるスロット又は複数のスロットからなるフレームの周期ごとに移動端末装置への送信電力を制御するようにしたので、複数の無線エリアにおける送信電力を高速に制御できるという効果がある。
また、この実施の形態１において、電力制御部１５は、各電力演算部１４が受信した移動端末装置の数の通知を受け、通知に基づいて各電力演算部１４に与える制御指令、すなわちＣＰＩＣＨ送信電力を決定するようにしたので、広範囲でのトラフィック負荷分散を行うことができるという効果がある。
また、この実施の形態１において、電力制御部１５は、一括統括する複数のセクタにおいて隣接するセクタ間における送信電力の空白及び隣接するセクタ同士の送信電力の重複が発生しないように制御指令を各電力演算部１４に与えるようにしたので、隣接するセクタ間での干渉の低減及びトラフィックの偏りを解消できるという効果がある。
また、この実施の形態１において、電力制御部１５は、各電力演算部１４におけるＣＰＩＣＨ送信電力の最大値及び最小値の範囲を規定し、収容する任意の電力演算部１４が自律的に対応するセクタにおける電力制御を行った場合には、そのセクタに隣接するセクタに対応する電力演算部１４に対して規定した範囲内でＣＰＩＣＨ送信電力を制御するようにしたので、個々のセクタにおける送信電力を高速に制御するとともに、複数のセクタからなるセル間での干渉の低減及びトラフィックの偏りを解消できるという効果がある。
また、実施の形態１の変形例として、電力制御部１５は、各電力演算部１４におけるＣＰＩＣＨ送信電力の情報を把握して、各電力演算部１４における基準ＳＩＲ及び基準ＲＡＣＨ数を制御するようにしてもよい。この場合には、隣接する無線エリア同士で最適な電力制御ができるという効果がある。
実施の形態２．
第８図はこの発明の実施の形態２における通信システムを示す図であり、図において、１９はＲＮＣ（統括制御手段）、２０はＲＮＣ１９に接続された３つのＢＴＳ（電力制御手段）である。各ＢＴＳ２０はそれぞれ対応するセル１，２，３（複数の無線エリア）において移動端末装置と無線通信を行う。第９図は第８図におけるＲＮＣ１９内の電力演算部であり、図において、２１は電力演算部、２２は比較器、２３は補正量演算器、２４は加算器である。ｇ〜ｍ１，２，３はＲＮＣ１９内及びＲＮＣ１９と各ＢＴＳ２０との間で授受される信号である。
次に動作について説明する。
ＲＮＣ１９の上位からは、ＣＰＩＣＨ送信電力の電力指示信号ｇ並びに基準ＳＩＲ及び基準ＲＡＣＨ数からなる基準指示信号ｈがＲＮＣ１９に送信される。すなわち、上位によって設定された制御指令が下位であるＲＮＣ１９に送信される。ＲＮＣ１９は、受信した電力指示信号ｇ及び基準指示信号ｈを内部の電力演算部２１に与える。電力演算部２１は３つのＢＴＳ２０のそれぞれに対して電力指示信号ｍ１，ｍ２，ｍ３を与えるとともに、基準指示信号ｈを比較器２２のメモリ（図示せず）に記憶する。
各ＢＴＳ２０は、電力指示信号ｍ１，ｍ２，ｍ３に基づいて移動端末装置への送信電力すなわちダウンリンクの送信電力を制御する。したがって、３個のセル１，２，３の範囲がそれぞれ電力指示信号ｍ１，ｍ２，ｍ３によって制御される。そして、各ＢＴＳ２０は、対応するセル内に存在する移動端末装置からアクセスを受信すると、受信ＳＩＲを測定する。この受信ＳＩＲの測定によって対応するセクタ内に存在する移動端末装置の数を測定することができる。ＢＴＳ２０は、測定した受信ＳＩＲを表す測定信号ｉ１，ｉ２，ｉ３をＲＮＣ１９に送信する。
ＲＮＣ１９の電力演算部２１は、各ＢＴＳ２０から受信した測定信号ｉ１，ｉ２，ｉ３を比較器２２のメモリに記憶する。比較器２２は、記憶した基準ＳＩＲと順に選択した各受信ＳＩＲを比較する。比較器２２は受信ＳＩＲが基準ＳＩＲよりも大きいか小さいかを判別する。そして、受信ＳＩＲが基準ＳＩＲより小さい場合にはプラス（例えば、１）の比較信号ｊを、受信ＳＩＲが基準ＳＩＲより大きい場合にはマイナス（例えば、０）の比較信号ｊを補正量演算器２３に入力する。
補正量演算器２３は、入力された比較信号ｊに基づいて補正量を演算して、演算した補正量を表す補正信号ｋを加算器２４に入力する。加算器２４は、上位から供給されているＣＰＩＣＨ送信電力に補正量を加算して、補正後のＣＰＩＣＨ送信電力の電力指示信号（例えば、ｍ２）をＢＴＳ２０に送信する。これにより対応するＢＴＳ２０の送信電力が変化して、対応するセル（例えば、セル２）の範囲が変化する。さらに、このセルに隣接するセル（例えば、セル１及びセル３）に対応するＢＴＳ２０に対しても、補正したＣＰＩＣＨ送信電力の電力指示信号（例えば、ｍ１及びｍ３）を送信する。
すなわち、ＲＮＣ１９は、いずれかのＢＴＳ２０のセルにおいてＣＰＩＣＨ送信電力が変化したか否かを判別し、変化した場合には隣接したセルのＣＰＩＣＨ送信電力を上位によって指定されている最大／最小のＣＰＩＣＨ送信電力の範囲内で制御する。
以上で明らかなように、この実施の形態２によれば、１つのセル内において移動端末装置と無線通信を行う際に１つのセルにアクセスする移動端末装置への送信電力を制御指令に応じて制御するＢＴＳ２０と、複数のＢＴＳ２０の各々に対して制御指令を与えて複数のセルにおける移動端末装置への送信電力を一括制御するＲＮＣ１９とを有するようにしたので、各セルごとに移動端末装置と無線通信を行う際に、複数のセルにおける干渉の低減及びトラフィックの偏りを解消できるという効果がある。また、セル内において及び複数のセルにおいて充分なトラフィック制御ができるという効果がある。
なお、上記実施の形態２において、ＲＮＣ１９を実施の形態１におけるＢＴＳ１１に対応させ、複数のＢＴＳ２０を実施の形態１における電力算出部１４に対応させた場合には、実施の形態１における各セクタが実施の形態２における各セルに対応する。したがって、この実施の形態２における各セルに対するダウンリンクの送信電力の制御及び複数のセルに対するダウンリンクの送信電力の制御の効果は、実施の形態１における各セクタに対するダウンリンクの送信電力の制御及び複数のセクタからなる１つのセルに対するダウンリンクの送信電力の制御の場合と同様の効果が得られる。
産業上の利用可能性
以上のように、この発明に係る通信システム及び通信方法は、１つの電力制御手段は対応するセクタ（又はセル）内において移動端末装置と無線通信を行う際に１つのセクタ（又はセル）にアクセスする移動端末装置への送信電力を制御指令に応じて制御し、統括制御手段は複数の電力制御手段の各々に対して制御指令を与えて複数のセクタ（又はセル）における移動端末装置への送信電力を一括制御することにより、各セクタごとに移動端末装置と無線通信を行う際に、複数のセクタ（又はセル）における干渉の低減及びトラフィックの偏りを解消するシステムに適している。
【図面の簡単な説明】
第１図は従来のＣＤＭＡの通信システムにおける一部の構成を示す図である。
第２図は従来の通信システムによる電力制御におけるセル半径の調整の様子を示す図である。
第３図は従来の通信システムにおけるセル半径の調整を示すフローチャートである。
第４図はこの発明の実施の形態１における通信システムのセル構成を示す図である。
第５図はこの発明の実施の形態１における通信システムのＢＴＳの構成を示すブロック図である。
第６図は第５図における電力演算部の構成を示すブロック図である。
第７図はこの発明の実施の形態１における通信システムの動作を示すフローチャートである。
第８図はこの発明の実施の形態２における通信システムを示す図である。
第９図は第８図におけるＲＮＣの内部の電力演算部を示すブロック図である。
【図１】
2002061975.tif 000003
【図２】
2002061975.tif 000004
【図３】
2002061975.tif 000005
【図４】
2002061975.tif 000006
【図５】
2002061975.tif 000007
【図６】
2002061975.tif 000008
【図７】
2002061975.tif 000009
【図８】
2002061975.tif 000010
【図９】
2002061975.tif 000011
【国際調査報告】
2002061975.tif 000012
2002061975.tif 000013
2002061975.tif 000014
2002061975.tif 000015